(57)【要約】      （修正有）【課題】不特定多数の利用者が利用する空調環境の快適性を向上させることが可能な空気調和機の制御装置を提供する。【解決手段】この空気調和機２の制御装置１００は、利用者から取得され、少なくとも利用者の温冷感と取得時刻とを含む複数の温冷感情報に基づいて取得された補正量に基づいて、ＰＭＶ値を補正するとともに、補正されたＰＭＶ値に基づいて、空気調和機２の運転制御を行う制御部２０、を備える。【選択図】図１
2016095066.tif 000002
【特許請求の範囲】
【請求項１】
利用者から取得され、少なくとも利用者の温冷感と取得時刻とを含む複数の温冷感情報に基づいて取得された補正量に基づいて、所定の快適指標を補正するとともに、補正された前記所定の快適指標に基づいて、空気調和機の運転制御を行う制御部、を備える、空気調和機の制御装置。
【請求項２】
前記制御部は、所定の期間内で取得された前記複数の温冷感情報の総数に対する各々の温冷感の取得数の割合に基づいて、前記補正量を取得するとともに、取得された前記補正量を前記所定の快適指標に付加することによって、前記所定の快適指標を補正するように構成されている、請求項１に記載の空気調和機の制御装置。
【請求項３】
前記制御部は、所定の期間内で取得された前記複数の温冷感情報の総数が第１しきい値以上になった場合には、前記所定の期間が経過する前においても、前記補正量を付加することによって前記所定の快適指標を補正するとともに、補正された前記所定の快適指標に基づいて、前記空気調和機の運転制御を行うように構成されている、請求項１または２に記載の空気調和機の制御装置。
【請求項４】
前記制御部は、取得された前記補正量を付加することによって前記所定の快適指標を補正するとともに、所定の期間内で取得された前記複数の温冷感情報の総数が第２しきい値未満の場合には、前記所定の快適指標に付加された前記補正量を維持して、前記空気調和機の運転制御を行うように構成されている、請求項１〜３のいずれか１項に記載の空気調和機の制御装置。
【請求項５】
前記制御部は、前記所定の期間内で取得された前記複数の温冷感情報の総数が前記第２しきい値よりも小さい第３しきい値未満の場合には、前記所定の快適指標に付加された前記補正量を略ゼロとして、前記空気調和機の運転制御を行うように構成されている、請求項４に記載の空気調和機の制御装置。
【請求項６】
利用者から取得され、少なくとも利用者の温冷感と取得時刻とを含む複数の温冷感情報に基づいて取得された補正量に基づいて、所定の快適指標を制御部により補正するステップと、
補正された前記所定の快適指標に基づいて、空気調和機の運転制御を前記制御部により行うステップと、を備える、空気調和機の制御方法。
【発明の詳細な説明】
【技術分野】
【０００１】
この発明は、空気調和機の制御装置および空気調和機の制御方法に関し、特に、所定の快適指標に基づいて空気調和機の運転制御を行う空気調和機の制御装置および空気調和機の制御方法に関する。
【背景技術】
【０００２】
従来、ＰＭＶ値（Ｐｒｅｄｉｃｔｅｄ  Ｍｅａｎ  Ｖｏｔｅ値）などの所定の快適指標に基づいて運転制御を行う空気調和機が知られている（たとえば、特許文献１参照）。
【０００３】
上記特許文献１には、ＰＭＶ値（所定の快適指標）を逐次算出するＰＭＶ値算出手段と、「暑い」「寒い」などの利用者の温冷感を入力する温感入力手段と、入力された利用者の温冷感に基づいてＰＭＶ値を補正するＰＭＶ値補正手段と、補正されたＰＭＶ値に基づいて冷暖房の制御を行う冷暖房制御手段とを備える空気調和機が開示されている。この空気調和機では、利用者は、リモコンに設けられたキーからなる温感入力手段により、「暑い」「寒い」などの温冷感を入力可能に構成されている。また、この空気調和機は、これらのキーが利用者により押されるたびに、ＰＭＶ値補正手段によりＰＭＶ値が補正されるように構成されている。
【先行技術文献】
【特許文献】
【０００４】
【特許文献１】特開平６−２０７７３４号公報
【発明の概要】
【発明が解決しようとする課題】
【０００５】
しかしながら、上記特許文献１に記載の空気調和機では、不特定多数の利用者が利用する空調環境で、各々異なる温冷感を有する複数の利用者により温冷感の入力が行われた場合には、各利用者の入力のたびに補正が行われてしまうため、ＰＭＶ値（所定の快適指標）を適切に補正することができないという不都合が生じると考えられる。このため、不特定多数の利用者が利用する空調環境の快適性が低下するという問題点がある。
【０００６】
この発明は、上記のような課題を解決するためになされたものであり、この発明の１つの目的は、不特定多数の利用者が利用する空調環境の快適性を向上させることが可能な空気調和機の制御装置および空気調和機の制御方法を提供することである。
【課題を解決するための手段】
【０００７】
上記目的を達成するために、この発明の第１の局面による空気調和機の制御装置は、利用者から取得され、少なくとも利用者の温冷感と取得時刻とを含む複数の温冷感情報に基づいて取得された補正量に基づいて、所定の快適指標を補正するとともに、補正された所定の快適指標に基づいて、空気調和機の運転制御を行う制御部、を備える。
【０００８】
この発明の第１の局面による空気調和機の制御装置では、上記のような制御部を設けることにより、不特定多数の利用者（複数の利用者）による複数の温冷感情報に基づいて、不特定多数の利用者の温冷感を適切に反映して、所定の快適指標を補正することができる。その結果、不特定多数の利用者が利用する空調環境で複数の利用者による温冷感が取得される場合にも、所定の快適指標を適切に補正することができる。したがって、不特定多数の利用者が利用する空調環境の快適性を向上させることができる。
【０００９】
上記第１の局面による空気調和機の制御装置において、好ましくは、制御部は、所定の期間内で取得された複数の温冷感情報の総数に対する各々の温冷感の取得数の割合に基づいて、補正量を取得するとともに、取得された補正量を所定の快適指標に付加することによって、所定の快適指標を補正するように構成されている。このように構成すれば、所定の期間内で利用者から取得された温冷感情報が直接的に反映される場合と異なり、所定の期間内で取得された複数の温冷感情報の総数に対する各々の温冷感の取得数の割合を考慮して、適切に補正量を取得することができる。その結果、適切に取得された補正量を付加することができるので、所定の快適指標をより適切に補正することができる。
【００１０】
上記第１の局面による空気調和機の制御装置において、好ましくは、制御部は、所定の期間内で取得された複数の温冷感情報の総数が第１しきい値以上になった場合には、所定の期間が経過する前においても、補正量を付加することによって所定の快適指標を補正するとともに、補正された所定の快適指標に基づいて、空気調和機の運転制御を行うように構成されている。このように構成すれば、第１しきい値以上の多くの利用者による温冷感を空気調和機の運転制御に迅速に反映することができる。その結果、空調環境内の利用者に対して快適な空調環境を迅速に提供することができる。
【００１１】
上記第１の局面による空気調和機の制御装置において、好ましくは、制御部は、取得された補正量を付加することによって所定の快適指標を補正するとともに、所定の期間内で取得された複数の温冷感情報の総数が第２しきい値未満の場合には、所定の快適指標に付加された補正量を維持して、空気調和機の運転制御を行うように構成されている。このように構成すれば、取得された温冷感情報の総数が第２しきい値未満で相対的に少ない場合に、相対的に少ない数の利用者の温冷感により所定の快適指標が補正されるのを防止することができる。その結果、取得された温冷感情報の総数が少ないことに起因して、所定の快適指標が極端な値に補正されるのを抑制することができる。また、所定の快適指標に付加された補正量を維持することにより、取得された温冷感情報の総数が相対的に多い場合に取得された補正量を用いることができるので、より多くの利用者の温冷感が反映された補正量により所定の快適指標を補正した状態を維持することができる。これらの結果、取得された温冷感情報の総数が相対的に少ない場合にも、所定の快適指標を適切に補正した状態を維持することができる。
【００１２】
この場合、好ましくは、制御部は、所定の期間内で取得された複数の温冷感情報の総数が第２しきい値よりも小さい第３しきい値未満の場合には、所定の快適指標に付加された補正量を略ゼロとして、空気調和機の運転制御を行うように構成されている。このように構成すれば、取得された複数の温冷感情報の総数が極めて少ない場合（空調環境内の利用者の数が極めて少ない場合）には、空気調和機の運転を初期運転の状態に復帰させることができる。その結果、利用者の温冷感を反映して、冷房または暖房を過度に行う負荷の大きい運転状態で空気調和機の運転を継続させる場合と異なり、負荷の少ない初期運転の状態に空気調和機を復帰させることができるので、エネルギーの省力化を図ることができる。
【００１３】
この発明の第２の局面による空気調和機の制御方法は、利用者から取得され、少なくとも利用者の温冷感と取得時刻とを含む複数の温冷感情報に基づいて取得された補正量に基づいて、所定の快適指標を制御部により補正するステップと、補正された所定の快適指標に基づいて、空気調和機の運転制御を制御部により行うステップと、を備える。
【００１４】
この発明の第２の局面による空気調和機の制御方法では、上記のように、利用者から取得され、少なくとも利用者の温冷感と取得時刻とを含む複数の温冷感情報に基づいて取得された補正量に基づいて、所定の快適指標を制御部により補正するステップと、補正された所定の快適指標に基づいて、空気調和機の運転制御を制御部により行うステップとを行う。これにより、第２の局面による空気調和機の制御方法においても、所定の快適指標を適切に補正して、不特定多数の利用者が利用する空調環境の快適性を向上させることができる。
【発明の効果】
【００１５】
本発明によれば、上記のように、不特定多数の利用者が利用する空調環境の快適性を向上させることが可能な空気調和機の制御装置および空気調和機の制御方法を提供することができる。
【図面の簡単な説明】
【００１６】
【図１】本発明の一実施形態による空気調和機の制御装置の全体構成を示したブロック図である。
【図２】本発明の一実施形態による空気調和機の制御装置により取得されるＰＭＶ値を説明するための図である。
【図３】本発明の一実施形態による温冷感情報を入力するための情報端末を示す図である。
【図４】本発明の一実施形態による情報端末の温冷感情報の入力画面を示す図である。
【図５】本発明の一実施形態による空気調和機の制御装置の補正量の算出方法を説明するための図である。
【図６】本発明の一実施形態による空気調和機の制御装置による補正量算出の一例を説明するための図である。
【図７】本発明の一実施形態による空気調和機の制御装置による空気調和機の運転制御の一例を説明するための図である。
【図８】本発明の一実施形態による空気調和機の制御装置の運転制御処理を説明するためのフローチャートである。
【発明を実施するための形態】
【００１７】
以下、本発明を具体化した実施形態を図面に基づいて説明する。
【００１８】
図１〜図７を参照して、本発明の一実施形態による空気調和機の制御装置（以下、空調機制御装置という）１００の構成について説明する。
【００１９】
本発明の一実施形態による空調機制御装置１００は、図１に示すように、不特定多数の利用者が利用する店舗内の空調環境１（２点鎖線により示す）に設置される空気調和機２の運転制御を行うように構成されている。このような店舗としては、コンビニエンスストアなどの比較的小規模な店舗、スーパーのように比較的大規模な店舗などが挙げられる。また、空調機制御装置１００は、専用の通信回線２ａを介して空気調和機２に接続されている。また、空調機制御装置１００は、専用の通信回線２ａを介して空気調和機２に運転制御信号を出力することにより、空気調和機２の運転制御を行うように構成されている。
【００２０】
空気調和機２は、いわゆる蒸気圧縮式の冷凍サイクル装置からなる。すなわち、空気調和機２は、図示しない圧縮機、四方弁、凝縮器（室外側熱交換器）、膨張弁および蒸発器（室内側熱交換器）が冷媒配管を介して一巡するように接続された冷凍サイクル装置として構成されている。そして、空気調和機２は、四方弁が冷房サイクル側または暖房サイクル側に切り替えられることにより、冷房運転または暖房運転で運転されるように構成されている。また、空気調和機２は、ユーザの操作に基づいて設定される設定温度と、空調環境の温度とに基づいて、圧縮機の出力（回転駆動）を制御して、冷房運転または暖房運転などを行うように構成されている。また、このような冷凍サイクル装置においては、二酸化炭素冷媒などの自然冷媒や、オゾン層破壊係数がゼロの代替フロン冷媒が使用可能に構成されている。
【００２１】
また、空調環境１には、空調環境１の状態（後述する環境側の要素）を測定するためのセンサ類３が設けられている。センサ類３は、室内温度センサ３ａと、室内湿度センサ３ｂと、室内輻射温度センサ３ｃと、気流センサ３ｄとを含んでいる。室内温度センサ３ａ、室内湿度センサ３ｂ、室内輻射温度センサ３ｃ、気流センサ３ｄは、それぞれ、取得された情報（温度情報、湿度情報、輻射温度情報および気流情報）を、制御装置１００の後述するＰＭＶ値算出手段２１（制御部２０）に出力するように構成されている。
【００２２】
ここで、ＰＭＶ値（予測平均温冷感申告値）とは、温熱環境（空調環境）の快適性を評価する１つの指標であり、国際標準化機構が定めた国際規格ＩＳＯ−７７３０に記載されている演算式により算出される指標値である。このＰＭＶ値は、環境側の要素として、空気温度、空気湿度、熱放射（輻射）および気流の４つの要素を考慮するとともに、人間側の要素として、着衣量および代謝量の２つの要素を考慮して、求めることが可能である。
【００２３】
図２に示すように、評価対象となる温熱環境が有するＰＭＶ値は、「−３」（寒い）〜「＋３」（暑い）までの数値として定量化され、中央の「０」（中立）は、暑くもなく寒くもない快適状態を示す。また、ＩＳＯの標準では、ＰＭＶ値＝０（ゼロ）は、その温熱環境に対して約９５％の利用者（在室者）が快適さを感じる状態に対応している。したがって、理論上、ＰＭＶ値＝０が維持される室内空間においては、その場に居合わせた大多数（約９５％）の利用者がその空調環境に不快さを感じず満足した状態にあるとＩＳＯでは解釈されている。空調機制御装置１００は、後述するＰＭＶ値算出手段２１（制御部２０）によりこのＰＭＶ値を算出するように構成されている。なお、ＰＭＶ値は、本発明の「所定の快適指標」の一例である。
【００２４】
また、空調環境１には、利用者の温冷感（利用者の感覚）を入力するための情報端末４が設けられている。情報端末４は、空調環境１の規模（大きさ、広さ）に応じて、１または複数設けることが可能である。また、情報端末４としては、店舗内の空調環境１に予め設けられている端末を用いることが可能である。つまり、情報端末４は、利用者の温冷感を入力するために新たに設けなくともよい。
【００２５】
図３に示すように、情報端末４は、箱状の筐体４ａと、筐体４ａの上部に設けられる表示部４ｂとを含んでいる。表示部４ｂは、各種画面を表示可能に構成されている。また、情報端末４では、表示部４ｂは、タッチパネルなどにより構成されており、表示された各種画面に対する利用者の操作を受付可能に構成されている。利用者の温冷感が入力される場合には、図４に示すように、表示部４ｂに、アンケート入力画面としての入力画面４１が表示される。
【００２６】
入力画面４１には、現在の空調環境１に対する利用者の温冷感（利用者の感覚）を入力するために、「寒い」「やや寒い」「快適」「やや暑い」「暑い」の５つの温冷感が利用者により選択可能に表示されている。また、入力画面４１には、利用者の温冷感（利用者の感覚）を入力するための項目に加えて、「商品の陳列は如何でしたか」や「店員の接客は如何でしたか」などの店舗に関する項目と、送信ボタン４１ａと、キャンセルボタン４１ｂとが表示されている。情報端末４は、入力画面４１を介して利用者によりアンケート結果が入力され、送信ボタン４１ａが操作された場合には、少なくとも利用者の温冷感とアンケートの入力時刻（言い換えると、情報端末４による情報の取得時刻）とを含む温冷感情報を入力結果記憶装置５に出力するように構成されている。
【００２７】
この際、利用者に温冷感の入力を促すために、店舗におけるポイント付与サービスなどを実施してもよい。たとえば、図３に示すように、情報端末４にＩＣカードＲＷ（リーダライタ）４ｃを設け、アンケート結果の送信後に、アンケートに回答した利用者のＩＣカードに、ＩＣカードＲＷ４ｃを介して所定のポイントを付与するサービスを実施することにより、利用者に温冷感の入力を促すことが可能である。
【００２８】
図１に示すように、入力結果記憶装置５は、情報端末４から出力され、少なくとも利用者の温冷感（上記した５つの温冷感のうちいずれかの温冷感）と取得時刻とを含む温冷感情報を記憶するように構成される。つまり、入力結果記憶装置５には、アンケートに回答した利用者毎の複数の温冷感情報が記憶される。また、入力結果記憶装置５としては、情報端末４のアンケート結果（店舗に関する項目のアンケート結果）を記憶するために設けられる記憶装置を用いることが可能である。つまり、入力結果記憶装置５は、温冷感情報を記憶させるために新たに設けなくともよい。
【００２９】
空調機制御装置１００は、目標設定記憶部１０と、制御部２０とを備えている。目標設定記憶部１０は、ユーザ（店舗関係者など）の操作に基づいて設定される空気調和機２の運転制御に関する設定情報を記憶するように構成されている。この設定情報は、目標設定温度、暖房運転または冷房運転などの運転モード、風量などの設定を含んでいる。
【００３０】
ここで、本実施形態では、制御部２０は、ＣＰＵを含み、空調環境１のＰＭＶ値を算出（取得）するとともに、入力結果記憶装置５に記憶された複数の利用者の入力に対応する複数の温冷感情報に基づいて補正量Ｑを算出し、算出された補正量ＱをＰＭＶ値に付加することによって、ＰＭＶ値を補正するように構成されている。また、制御部２０は、補正量Ｑが付加されたＰＭＶ値に基づいて、新たな設定情報を取得するとともに、新たな設定情報に基づいて、空気調和機２の運転制御を行うように構成されている。以下、制御部２０の構成について詳細に説明する。
【００３１】
制御部２０は、ＰＭＶ値算出手段２１、補正量算出手段２２および空気調和機設定算出手段２３として機能するように構成されている。なお、制御部２０において、ＰＭＶ値算出手段２１と、補正量算出手段２２と、空気調和機設定算出手段２３との機能は、プログラムなどのソフトウェアにより実現することが可能である。
【００３２】
ＰＭＶ値算出手段２１（制御部２０）は、センサ類３から取得される環境側の要素と、人間側の要素とに基づいて、「−３」（寒い）〜「＋３」（暑い）までの数値としてＰＭＶ値（図２参照）を逐次算出するように構成されている。なお、人間側の要素としての着衣量および代謝量の２つの要素は、空調環境１の規模（大きさ、広さ）や利用者の年齢層などの情報に基づいて、予め設定しておくことが可能である。また、ＰＭＶ値算出手段２１（制御部２０）は、算出されたＰＭＶ値を補正量算出手段２２に出力するように構成されている。
【００３３】
補正量算出手段２２（制御部２０）は、所定の期間内で取得された複数の温冷感情報の総数に対する各々の温冷感の取得数の割合（入力割合）に基づいて、補正量Ｑを算出（取得）するように構成されている。図５および図６を参照して、補正量算出手段２２（制御部２０）によるこの補正量Ｑの算出について詳細に説明する。
【００３４】
図５に示すように、補正量算出手段２２（制御部２０）は、まず、入力結果記憶装置５に記憶された複数の温冷感情報のうち、所定の期間（たとえば、１時間）内で利用者から取得された温冷感情報を取得する。そして、補正量算出手段２２（制御部２０）は、所定の期間（たとえば、約１時間）内で取得された温冷感情報の総数に対する「寒い」「やや寒い」「快適」「やや暑い」「暑い」の５つの温冷感の各々の入力割合を算出する。つまり、５つの温冷感の各々の入力割合を、入力割合＝温冷感の取得数÷温冷感情報の総数×１００（％）として算出する。
【００３５】
また、「寒い」「やや寒い」「快適」「やや暑い」「暑い」の５つの温冷感には所定の補正量として、それぞれ、「−２」「−１」「０」「１」「２」が設定されている。そして、補正量算出手段２２（制御部２０）は、「寒い」および「暑い」の温冷感では、算出された入力割合が２０％以上の場合に補正（補正量）を有効とし、算出された入力割合が２０％未満の場合に補正を無効（補正量をゼロ）とする。また、補正量算出手段２２（制御部２０）は、「やや寒い」および「やや暑い」の温冷感では、算出された入力割合が４０％以上の場合に補正（補正量）を有効とし、算出された入力割合が４０％未満の場合に補正を無効（補正量をゼロ）とする。また、補正量算出手段２２（制御部２０）は、「快適」の温冷感では、常に、補正を無効（補正量をゼロ）とする。そして、補正量算出手段２２（制御部２０）は、有効とされた補正量を合算することにより、ＰＭＶ値を補正するための補正量Ｑを取得する。つまり、補正量算出手段２２（制御部２０）は、所定の期間内で取得された複数の温冷感情報の総数に対する各々の温冷感の取得数の割合（入力割合）に基づいて、各温冷感の補正量を有効とするか無効とするかを判断するとともに、有効と判断された補正量を合算することによりＰＭＶ値に付加する補正量Ｑを取得するように構成されている。これらの結果、補正量算出手段２２（制御部２０）は、所定の期間内で取得された複数の温冷感情報の総数に対する各々の温冷感の取得数の割合（入力割合）に基づいて、ＰＭＶ値を補正するための補正量Ｑを算出（取得）することができる。
【００３６】
図６を参照して、補正量Ｑの算出の具体例について説明する。図６では、所定期間内で取得された複数の温冷感情報の総数を８０とし、「寒い」の温冷感の取得数を１（入力割合が約１％）とし、「やや寒い」の温冷感の取得数を５（入力割合が約６％）とし、「快適」の温冷感の取得数を２４（入力割合が約３０％）とし、「やや暑い」の温冷感の取得数を３２（入力割合が約４０％）とし、「暑い」の温冷感の取得数を１８（入力割合が約２３％）とした場合を示している。この場合、「寒い」および「やや寒い」の温冷感では、それぞれ、入力割合が２０％未満および４０％未満であるので、補正を無効とする。また、「暑い」および「やや暑い」の温冷感では、それぞれ、入力割合が２０％以上および４０％以上であるので、補正を有効とする。また、「快適」の温冷感では、常に、補正は無効である。したがって、ＰＭＶ値を補正するための補正量Ｑは、「暑い」の温冷感の補正量「２」と、「やや暑い」の温冷感の補正量「１」とを合算して、補正量Ｑ＝１＋２＝３で求められる。
【００３７】
また、補正量算出手段２２（制御部２０）は、算出された補正量ＱをＰＭＶ値に付加することによって、ＰＭＶ値を補正するように構成されている。そして、補正量が付加された状態で、ＰＭＶ値を空気調和機設定算出手段２３に出力するように構成されている。
【００３８】
空気調和機設定算出手段２３（制御部２０）は、目標設定記憶部１０に記憶された設定情報を取得するように構成されている。また、空気調和機設定算出手段２３（制御部２０）は、取得された設定情報と、補正量Ｑが付加されたＰＭＶ値とに基づいて、ＰＭＶ値と利用者の温冷感とを考慮した新たな設定情報を取得するように構成されている。たとえば、ＰＭＶ値と利用者の温冷感とを考慮した目標設定温度を取得する場合には、設定情報が含む目標設定温度に対して補正量Ｑが付加されたＰＭＶ値を付加することによって、新たな目標設定温度を取得する。つまり、（目標設定温度−（ＰＭＶ値＋補正量Ｑ））により新たな目標設定温度を求めて、取得する。なお、目標設定温度以外に、冷房運転または暖房運転などの運転モードや、風量などの条件が更新された新たな設定情報を取得してもよい。そして、空気調和機設定算出手段２３（制御部２０）は、新たな設定情報に基づいて、空気調和機２の運転制御を行うように構成されている。このようにして、制御部２０は、複数の温冷感情報に基づいてＰＭＶ値を補正して、空気調和機２の運転制御を行うように構成されている。
【００３９】
また、本実施形態では、制御部２０は、所定の期間内で取得された複数の温冷感情報の総数が上側しきい値以上になった場合には、所定の期間が経過する前においても、補正量Ｑを付加することによってＰＭＶ値を補正量算出手段２２により補正するとともに、補正されたＰＭＶ値に基づいて、空気調和機設定算出手段２３により空気調和機２の運転制御を行うように構成されている。つまり、制御部２０は、信頼できる数の温冷感情報が得られた場合には、所定の期間が経過する前においても、所定の期間の開始時点から取得された複数の温冷感情報の総数が上側しきい値以上になる時点までの間の時間に得られた複数の温冷感情報に基づいて算出された補正量Ｑを付加することによってＰＭＶ値を補正し、補正されたＰＭＶ値に基づいて、空気調和機２の運転制御を行うように構成されている。なお、上側しきい値は、本発明の「第１しきい値」および「第２しきい値」の一例である。
【００４０】
また、制御部２０は、所定の期間内で取得された複数の温冷感情報の総数が上側しきい値未満の場合には、補正量算出手段２２によりＰＭＶ値に対する補正を行わないように構成されている。具体的には、制御部２０は、所定の期間内で取得された複数の温冷感情報の総数が上側しきい値未満で、かつ、上側しきい値よりも小さい下側しきい値以上の場合には、現在ＰＭＶ値に付加されている補正量Ｑを維持して、空気調和機設定算出手段２３により空気調和機２の運転制御を行うように構成されている。さらに、制御部２０は、所定の期間内で取得された複数の温冷感情報の総数が下側しきい値未満の場合には、現在ＰＭＶ値に付加されている補正量をゼロとして、空気調和機設定算出手段２３により空気調和機２の運転制御を行うように構成されている。なお、下側しきい値は、本発明の「第３しきい値」の一例である。
【００４１】
つまり、制御部２０は、所定の期間内で信頼できる数の温冷感情報が得られない場合には、現在の補正量Ｑを維持するとともに、所定の期間内で得られた温冷感情報の数が極めて少ない場合には、現在の補正量Ｑを初期値（ゼロ）に戻して、空気調和機２の運転制御を行うように構成されている。以下、図７を参照して、空調機制御装置１００による空気調和機２の運転制御の具体例について説明する。
【００４２】
図７では、所定の期間を１時間とし、上側しきい値を１０とし、下側しきい値を３とした場合について示している。まず、９時００分には、空気調和機２が運転されている。この際、補正量Ｑは初期値（ゼロ）であり、この状態の空気調和機２の運転のことを便宜的に初期運転と呼ぶ。そして、１時間経過後の９時５９分において、９時００分から９時５９分の間の１時間内で取得された温冷感情報の総数が制御部２０により判断される。図７に示すように、９時００分から９時５９分の間の１時間内の温冷感情報の総数は５であるので、温冷感情報の総数が上側しきい値未満で下側しきい値以上であると制御部２０により判断されて、現在の補正量Ｑ（＝０）が維持される。この場合、空気調和機２は、初期運転の状態で継続して運転制御される。
【００４３】
その後、１０時００分から１０時５９分の間の１時間内の１０時９分において、温冷感情報の総数が１４となる。この場合、温冷感情報の総数が上側しきい値以上になったと制御部２０により判断されて、第１回目の補正量Ｑ１が算出される。この場合、１時間が経過する前においても、補正量Ｑ１を付加してＰＭＶ値が補正される。その結果、１０時０９分の直後の１０時１０分から、空気調和機２は、第１回目の補正後の運転（第１補正運転）状態で運転制御される。
【００４４】
そして、１時間経過後の１１時０９分において、１０時１０分から１１時０９分の間の１時間内で取得された温冷感情報の総数が制御部２０により判断される。１０時１０分から１１時０９分の間の１時間内の温冷感情報の総数は６であるので、温冷感情報の総数が上側しきい値未満で下側しきい値以上であると制御部２０により判断されて、現在の補正量Ｑ１が維持される。この場合、空気調和機２は、第１補正運転の状態で継続して運転制御される。
【００４５】
その後、１１時１０分から１２時０９分の間の１時間内の１１時５７分において、温冷感情報の総数が１１となる。この場合、温冷感情報の総数が上側しきい値以上になったと制御部２０により判断されて、第２回目の補正量Ｑ２が算出される。この場合、１時間が経過する前においても、補正量Ｑ２を付加してＰＭＶ値が補正される。その結果、１１時５７分の直後の１１時５８分から、空気調和機２は、第２回目の補正後の運転（第２補正運転）状態で運転制御される。
【００４６】
そして、１時間経過後の１２時５７分において、１１時５８分から１２時５７分の間の１時間内で取得された温冷感情報の総数が制御部２０により判断される。１１時５８分から１２時５７分の間の１時間内の温冷感情報の総数は３であるので、温冷感情報の総数が上側しきい値未満で下側しきい値以上であると制御部２０により判断されて、現在の補正量Ｑ２が維持される。この場合、空気調和機２は、第２補正運転の状態で継続して運転制御される。
【００４７】
その後、１時間経過後の１３時５７分において、１２時５８分から１３時５７分の間の１時間内で取得された温冷感情報の総数が制御部２０により判断される。１２時５８分から１３時５７分の間の１時間内の温冷感情報の総数は２であるので、温冷感情報の総数が下側しきい値未満であると制御部２０により判断されて、現在ＰＭＶ値に付加されている補正量Ｑ２がゼロとされる。その結果、１３時５８分から、空気調和機２は、初期運転の状態で運転制御される。
【００４８】
その後、１３時５８分から１４時５７分の間の１時間内の１４時０７分において、温冷感情報の総数が１４となる。この場合、温冷感情報の総数が上側しきい値以上になったと制御部２０により判断されて、第３回目の補正量Ｑ３が算出される。この場合、１時間が経過する前においても、補正量Ｑ３を付加してＰＭＶ値が補正される。その結果、１４時０７分の直後の１４時０８分から、空気調和機２は、第３回目の補正後の運転（第３補正運転）状態で運転制御される。以降、店舗の閉店時間まで上記の制御が繰り返されることにより、空調環境１における空調機制御装置１００による空気調和機２の運転制御が行われる。
【００４９】
次に、図８を参照して、空調機制御装置１００の運転制御処理についてフローチャートに基づいて説明する。この運転制御処理は、制御部２０により行われる。
【００５０】
まず、ステップＳ１において、店舗の開店時間などに合わせて、初期運転が開始される。つまり、初期運転の状態で、空気調和機２（図１参照）の運転制御が行われる。
【００５１】
そして、ステップＳ２において、所定の期間内で取得された複数の温冷感情報の総数が上側しきい値以上であるか否かが判断される。つまり、ステップＳ２では、所定の期間内で信頼できる数の温冷感情報が取得されたか否かが判断される。所定の期間内で取得された複数の温冷感情報の総数が上側しきい値以上であると判断された場合には、ステップＳ３に進む。また、所定の期間内で取得された複数の温冷感情報の総数が上側しきい値未満であると判断された場合には、ステップＳ７に進む。
【００５２】
そして、ステップＳ３において、所定の期間内で取得された複数の温冷感情報に基づいて、補正量Ｑが取得される。具体的には、図５および図６に示すように、所定の期間内で取得された複数の温冷感情報の総数に対する各々の温冷感の取得数の割合（入力割合）に基づいて、各々の温冷感に対応する補正量のうち有効とされた補正量を合算することにより、補正量Ｑが算出（取得）される。
【００５３】
そして、ステップＳ４において、算出された補正量ＱがＰＭＶ値に対して付加される。つまり、ステップＳ４では、利用者の温冷感を考慮して、ＰＭＶ値が補正される。
【００５４】
そして、ステップＳ５において、補正量Ｑを付加したＰＭＶ値に基づく新たな設定情報が取得される。具体的には、目標設定記憶部１０に記憶された設定情報と、補正量Ｑが付加されたＰＭＶ値とに基づいて、ＰＭＶ値と利用者の温冷感とを考慮した新たな設定情報が取得される。
【００５５】
そして、ステップＳ６において、取得された新たな設定情報に基づく空気調和機２の運転制御が行われる。つまり、運転制御処理において、ステップＳ３の処理を経由してステップＳ６の処理を行う場合には、所定の期間が経過する前においても、補正量Ｑを付加することによってＰＭＶ値が補正され、補正されたＰＭＶ値に基づいて、空気調和機２の運転制御が行われる。その後、ステップＳ２の処理に戻る。
【００５６】
また、ステップＳ２において、所定の期間内で取得された複数の温冷感情報の総数が上側しきい値未満であると判断された場合には、ステップＳ７において、所定の期間が経過したか否かが判断される。所定の期間が経過していないと判断された場合には、ステップＳ２に進む。また、所定の期間が経過していると判断された場合には、ステップＳ８に進む。
【００５７】
そして、ステップＳ８において、所定の期間内で取得された複数の温冷感情報の総数が下側しきい値以上であるか否かが判断される。つまり、ステップＳ８では、所定の期間内で得られた温冷感情報の数が極めて少ないか否かが判断される。所定の期間内で取得された複数の温冷感情報の総数が下側しきい値以上であると判断された場合には、ステップＳ９に進む。また、所定の期間内で取得された複数の温冷感情報の総数が下側しきい値未満であると判断された場合には、ステップＳ１０に進む。
【００５８】
そして、ステップＳ９において、現在の補正量Ｑが維持される。つまり、制御部２０の補正量算出手段２２による新たな補正量Ｑの算出が行われない。そして、ステップＳ５に進み、ステップＳ５において、維持された補正量Ｑを付加したＰＭＶ値に基づく設定情報が取得され、ステップＳ６において、取得された設定情報に基づく空気調和機２の運転制御が行われる。つまり、運転制御処理において、ステップＳ９の処理を経由してステップＳ６の処理を行う場合には、所定の期間経過後においても現在ＰＭＶ値に付加されている補正量Ｑを維持して、空気調和機２の運転制御が行われる。その後、ステップＳ２の処理に戻る。
【００５９】
また、ステップＳ８において、所定の期間内で取得された複数の温冷感情報の総数が下側しきい値未満であると判断された場合には、ステップＳ１０において、補正量Ｑをゼロとする処理が行われる。そして、ステップＳ５に進み、ステップＳ５において、補正量Ｑ（＝０）を付加したＰＭＶ値に基づく設定情報が取得され、ステップＳ６において、取得された設定情報に基づく空気調和機２の運転制御が行われる。つまり、運転制御処理において、ステップＳ１０の処理を経由してステップＳ６の処理を行う場合には、現在の補正量Ｑを初期値（ゼロ）に戻して、空気調和機２の運転制御が行われる。その後、ステップＳ２の処理に戻る。以上のように運転制御処理を行うことにより、図７に示すような運転制御が行われる。
【００６０】
本実施形態では、以下のような効果を得ることができる。
【００６１】
本実施形態では、上記のように、少なくとも利用者の温冷感と取得時刻とを含む複数の温冷感情報に基づいて取得された補正量Ｑに基づいて、ＰＭＶ値を補正するとともに、補正されたＰＭＶ値に基づいて、空気調和機２の運転制御を行う制御部２０を設ける。これにより、不特定多数の利用者（複数の利用者）による複数の温冷感情報に基づいて、不特定多数の利用者の温冷感を反映して、ＰＭＶ値を補正することができる。その結果、不特定多数の利用者が利用する空調環境１で複数の利用者による温冷感が取得される場合にも、ＰＭＶ値を適切に補正することができる。したがって、不特定多数の利用者が利用する空調環境１の快適性を向上させることができる。
【００６２】
また、本実施形態では、上記のように、所定の期間内で取得された複数の温冷感情報の総数に対する各々の温冷感の取得数の割合に基づいて、補正量Ｑを取得するとともに、取得された補正量ＱをＰＭＶ値に付加することによって、ＰＭＶ値を補正するように制御部２０を構成する。これにより、所定の期間内で利用者から取得された温冷感情報が直接的に反映される場合と異なり、所定の期間内で取得された複数の温冷感情報の総数に対する各々の温冷感の取得数の割合を考慮して、補正量Ｑを適切に取得することができる。その結果、適切に取得された補正量Ｑを付加することができるので、ＰＭＶ値をより適切に補正することができる。
【００６３】
また、本実施形態では、上記のように、所定の期間内で取得された複数の温冷感情報の総数が上側しきい値以上になった場合には、所定の期間が経過する前においても、補正量Ｑを付加することによってＰＭＶ値を補正するとともに、補正されたＰＭＶ値に基づいて、空気調和機２の運転制御を行うように制御部２０を構成する。これにより、上側しきい値以上の多くの利用者による温冷感を空気調和機２の運転制御に迅速に反映することができる。その結果、空調環境１内の利用者に対して快適な空調環境１を迅速に提供することができる。
【００６４】
また、本実施形態では、上記のように、取得された補正量Ｑを付加することによってＰＭＶ値を補正するとともに、所定の期間内で取得された複数の温冷感情報の総数が上側しきい値未満の場合には、ＰＭＶ値に付加された補正量Ｑを維持して、空気調和機２の運転制御を行うように制御部２０を構成する。これにより、取得された温冷感情報の総数が上側しきい値未満で相対的に少ない場合に、相対的に少ない数の利用者の温冷感によりＰＭＶ値が補正されるのを防止することができる。その結果、取得された温冷感情報の総数が少ないことに起因して、ＰＭＶ値が極端な値に補正されるのを抑制することができる。また、ＰＭＶ値に付加された補正量Ｑを維持することにより、取得された温冷感情報の総数が相対的に多い場合に取得された補正量Ｑを用いることができるので、より多くの利用者の温冷感が反映された補正量ＱによりＰＭＶ値を補正した状態を維持することができる。これらの結果、取得された温冷感情報の総数が相対的に少ない場合にも、ＰＭＶ値を適切に補正した状態を維持することができる。
【００６５】
また、本実施形態では、上記のように、所定の期間内で取得された複数の温冷感情報の総数が上側しきい値よりも小さい下側しきい値未満の場合には、ＰＭＶ値に付加された補正量Ｑを略ゼロとして、空気調和機２の運転制御を行うように制御部２０を構成する。これにより、取得された複数の温冷感情報の総数が極めて少ない場合（空調環境１内の利用者の数が極めて少ない場合）には、空気調和機２の運転を初期運転の状態に復帰させることができる。その結果、利用者の温冷感を反映して、冷房または暖房を過度に行う負荷の大きい運転状態で空気調和機２の運転を継続させる場合と異なり、負荷の少ない初期運転の状態に空気調和機２を復帰させることができるので、エネルギーの省力化を図ることができる。
【００６６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６７】
たとえば、上記実施形態では、「寒い」「やや寒い」「快適」「やや暑い」「暑い」の５つの温冷感が利用者により選択可能に構成された例について示したが、本発明はこれに限られない。本発明では、温冷感は、５つ以外の複数設定されてもよい。たとえば、「寒い」「快適」「暑い」の３つ設定されてもよいし、ＰＭＶ値と同様に７つ設定されてもよい。また、各温冷感の補正量は、上記第１実施形態で示した値（「−２」「−１」「０」「１」「２」）以外の値が用いられてもよい。
【００６８】
また、上記実施形態では、所定の期間を1時間とし、上側しきい値を１０とし、下側しきい値を３とした例について示したが、本発明はこれに限られない。本発明では、所定の期間、上側しきい値、下側しきい値は、それぞれ、上記の値以外の値でもよい。
【００６９】
また、上記実施形態では、本発明の第１しきい値および第２しきい値の２つのしきい値を、上側しきい値の１つのしきい値とした例について示したが、本発明はこれに限られない。本発明では、第１しきい値および第２しきい値を、別個のしきい値としてもよい。
【００７０】
また、上記実施形態では、情報端末４のアンケート結果を記憶するために設けられる入力結果記憶装置５を、温冷感情報の記憶装置として利用した例について示したが、本発明はこれに限られない。本発明では、空調機制御装置が温冷感情報の記憶装置を備えていてもよい。
【００７１】
また、上記実施形態では、所定の期間内で取得された複数の温冷感情報の総数が上側しきい値以上になった場合には、所定の期間が経過する前においても、補正量Ｑを付加することによってＰＭＶ値を補正した例について示したが、本発明はこれに限られない。本発明では、所定の期間が経過した時点で、所定の期間内で取得された複数の温冷感情報に基づいて、補正量Ｑを取得して、ＰＭＶ値を補正してもよい。
【００７２】
また、上記実施形態では、所定の期間内で取得された複数の温冷感情報の総数が上側しきい値よりも小さい下側しきい値未満の場合には、現在ＰＭＶ値に付加されている補正量をゼロとした例を示したが、本発明はこれに限られない。本発明では、所定の期間内で取得された複数の温冷感情報の総数が上側しきい値未満の場合には、常に、現在ＰＭＶ値に付加されている補正量Ｑを維持するように構成してもよい。また、所定の期間内で取得された複数の温冷感情報の総数が上側しきい値未満の場合には、常に、現在ＰＭＶ値に付加されている補正量Ｑをゼロとするように構成してもよい。
【００７３】
また、上記実施形態では、所定の期間内で取得された複数の温冷感情報の総数に対する各々の温冷感の取得数の割合（入力割合）に基づいて、各温冷感の補正量を有効とするか無効とするかを判断するとともに、有効と判断された補正量を合算することによりＰＭＶ値に付加する補正量Ｑを取得した例を示したが、本発明はこれに限られない。本発明では、所定の期間内で取得された複数の温冷感情報の総数に対する各々の温冷感の取得数の割合（入力割合）に基づいて、各温冷感の入力割合に応じた重み付けを各温冷感の補正量に対して行い、重み付け後の各温冷感の補正量を合算することにより、補正量Ｑを取得してもよい。
【００７４】
また、上記実施形態では、蒸気圧縮式の冷凍サイクル装置を使用して空気調和機２を構成した例について示したが、本発明はこれに限られない。本発明では、空気調和機は、吸収式冷凍機であってもよい。
【００７５】
また、上記実施形態では、説明の便宜上、制御部２０の処理を処理フローに沿って順番に処理を行うフロー駆動型のフローチャートを用いて説明したが、本発明はこれに限られない。本発明では、制御部２０の処理を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００７６】
２  空気調和機
２０  制御部
１００  空気調和機の制御装置
Ｑ  補正量
【図１】
2016095066.tif 000003
【図２】
2016095066.tif 000004
【図３】
2016095066.tif 000005
【図４】
2016095066.tif 000006
【図５】
2016095066.tif 000007
【図６】
2016095066.tif 000008
【図７】
2016095066.tif 000009
【図８】
2016095066.tif 000010